(57)【要約】【課題】画像データ転送システムにおいて、送信画像データに領域に応じたデータ量の削減を行うことにより、効率的な画像データ転送を実現すること。【解決手段】送信側装置の表示画像データを、電気通信回線を介して受信側装置に送信する画像データ転送システムであって、送信側装置は、画像データ取得部５により表示画像データを取得し、取得した表示画像データの変更領域を画像データ変更領域判別部６で判別する。画像データ作成部７は、画像データ変更領域判別部６で判別された変更領域に基づいて、表示画像データのデータ量を削減する処理を行い、画像データ作成部７により削減処理された画像データは送信データ生成部４によって受信側装置へ送信される。【選択図】  図１
2004220239.tif 000002
【特許請求の範囲】
【請求項１】
送信側装置の表示画像データを、電気通信回線を介して受信側装置に送信する画像データ転送システムであって、送信側装置は、
表示画像を取得する画像データ取得手段と、
前記画像データ取得手段によって取得した画像データの変更領域を判別する変更領域判別手段と、
前記変更領域判別手段で判別された変更領域に基づいて、前記画像データ取得手段で取得した画像データのデータ量を削減する処理を行う画像データ作成手段と、
前記画像データ作成手段により処理された画像データから受信側装置へ送信する送信画像データを生成する送信データ生成手段と、を有することを特徴とする画像データ転送システム。
【請求項２】
前記変更領域判別手段は、最前面のウィンドウ領域に着目し、最前面のウィンドウ領域以外を変更領域と判別する、ことを特徴とする請求項１記載の画像データ転送システム。
【請求項３】
前記変更領域判別手段は、ウィンドウ領域の属性に着目し、所定の属性のウィンドウ領域以外を変更領域と判別する、ことを特徴とする請求項１記載の画像データ転送システム。
【請求項４】
前記変更領域判別手段は、ウィンドウ領域の表示サイズに着目し、所定の表示サイズのウィンドウ領域以外を変更領域と判別する、ことを特徴とする請求項１記載の画像データ転送システム。
【請求項５】
送信側装置は、アプリケーション毎にアプリケーションの表示領域の画像データ変更処理に関する設定情報を格納する設定情報格納手段を有し、前記変更領域判別手段は、前記設定情報格手段に格納された設定情報を参照し、画像データの変更領域を判別する、ことを特徴とする請求項１記載の画像データ転送システム。
【請求項６】
受信側装置は、送信側装置のアプリケーション毎にアプリケーションの表示領域の画像データ変更処理に関する設定情報を格納する設定情報格納手段を有し、送信側装置の変更領域判別手段は、受信側装置から受け取った設定情報を参照し、画像データの変更領域を判別する、ことを特徴とする請求項１記載の画像データ転送システム。
【請求項７】
送信側装置の表示画像データを、電気通信回線を介して受信側装置に送信する画像データ転送方法であって、送信側装置は、
表示画像を取得するステップと、
取得した画像データの変更領域を判別するステップと、
判別された変更領域に基づいて、取得した画像データのデータ量を削減する処理を行うステップと、
データ量が削減された画像データから受信側装置へ送信する送信画像データを生成するステップと、を有することを特徴とする画像データ転送方法。
【請求項８】
変更領域を判別するステップは、最前面のウィンドウ領域に着目し、最前面のウィンドウ領域以外を変更領域と判別する、ことを特徴とする請求項７記載の画像データ転送方法。
【請求項９】
変更領域を判別するステップは、ウィンドウ領域の属性に着目し、所定の属性のウィンドウ領域以外を変更領域と判別する、ことを特徴とする請求項７記載の画像データ転送方法。
【請求項１０】
変更領域を判別するステップは、ウィンドウ領域の表示サイズに着目し、所定の表示サイズのウィンドウ領域以外を変更領域と判別する、ことを特徴とする請求項７記載の画像データ転送方法。
【請求項１１】
送信側装置は、アプリケーション毎にアプリケーションの表示領域の画像データ変更処理に関する設定情報を格納する設定情報格納手段を有しており、変更領域を判別するステップは、前記設定情報格手段に格納された設定情報を参照し、画像データの変更領域を判別する、ことを特徴とする請求項７記載の画像データ転送システム。
【請求項１２】
受信側装置は、送信側装置のアプリケーション毎にアプリケーションの表示領域の画像データ変更処理に関する設定情報を格納する設定情報格納手段を有し、送信側装置の変更領域を判別するステップは、受信側装置から受け取った設定情報を参照し、画像データの変更領域を判別する、ことを特徴とする請求項７記載の画像データ転送方法。
【請求項１３】
請求項７乃至請求項１１の何れか一つに記載の画像データ転送方法を具現化する画像データ転送プログラムを記録した記録媒体。
【請求項１４】
請求項７乃至請求項１１の何れか一つに記載の画像データ転送方法を具現化する画像データ転送プログラム。
【発明の詳細な説明】
【０００１】
【発明の属する技術分野】
本発明は、遠隔操作システム等において画像データを転送する際の、画像データ転送システム及び画像データ転送方法に関するものである。
【０００２】
【従来の技術】
ネットワークを介して画像データの転送を行う場合、システムの処理能力や通信速度に応じて、より効率的に画像データを送信することが必要不可欠である。
【０００３】
従来の画像データ転送方法においては、送信データサイズを削減する方法として、受信側の表示能力に応じて減色処理を行う方法がある（例えば特許文献１参照）。
【０００４】
また、初めに送信対象データの減色データを送信し、送信対象データに変更がなければ、該送信対象データと減色データとの差分データを送信し、受信側装置では、表示している減色データに差分データを加えて表示する方法もある（例えば特許文献２参照）。
【０００５】
【特許文献１】
特開平１１−３８９５８号公報
【特許文献２】
特開平１１−３０８４６８号公報
【０００６】
【発明が解決しようとする課題】
しかしながら、受信側装置の表示能力が高い場合、受信側装置の表示能力に応じて減色処理を行う方法では送信データの削減効果はあまり期待できず、また、減色データの作成を、受信側装置の表示能力への減色以外によって行う場合、作成方法によっては、送信した減色データではユーザの画面閲覧に支障をきたす場合が考えられる。
【０００７】
本発明では、ユーザが注目する領域を基準とし、ユーザの画面閲覧に支障をきたすことなく画像データのデータ量を削減でき、効率的な画像データの転送を行うことができる画像データ転送システム及び画像データ転送方法を提供することを目的とする。
【０００８】
【課題を解決するための手段】
この課題を解決するために本発明は、送信側装置の表示画像データを、電気通信回線を介して受信側装置に送信する画像データ転送システムであって、送信側装置は、表示画像を取得する画像データ取得手段と、画像データ取得手段によって取得した画像データの変更領域を判別する変更領域判別手段と、変更領域判別手段で判別された変更領域に基づいて、画像データ取得手段で取得した画像データのデータ量を削減する処理を行う画像データ作成手段と、画像データ作成手段により処理された画像データから受信側装置へ送信する送信画像データを生成する送信データ生成手段と、を有する構成とした。
【０００９】
これにより、送信画像データのデータ量を削減でき、効率的な画像データの転送を行うことができる画像データ転送システムが得られる。
【００１０】
【発明の実施の形態】
本願の請求項１に係る発明は、送信側装置の表示画像データを、電気通信回線を介して受信側装置に送信する画像データ転送システムであって、送信側装置は、表示画像を取得する画像データ取得手段と、画像データ取得手段によって取得した画像データの変更領域を判別する変更領域判別手段と、変更領域判別手段で判別された変更領域に基づいて、画像データ取得手段で取得した画像データのデータ量を削減する処理を行う画像データ作成手段と、画像データ作成手段により処理された画像データから受信側装置へ送信する送信画像データを生成する送信データ生成手段と、を有する構成としたことにより、送信画像データのデータ量を削減することができる。
【００１１】
本願の請求項２に係る発明は、請求項１に係る発明において、変更領域判別手段は、最前面のウィンドウ領域に着目し、最前面のウィンドウ領域以外を変更領域と判別する、構成としたことにより、ユーザが注目する領域を考慮した送信画像データのデータ量削減が可能となる。
【００１２】
本願の請求項３に係る発明は、請求項１に係る発明において、変更領域判別手段は、ウィンドウ領域の属性に着目し、所定の属性のウィンドウ領域以外を変更領域と判別する、構成としたことにより、ユーザが注目する領域を考慮した送信画像データのデータ量削減が可能となる。
【００１３】
本願の請求項４に係る発明は、請求項１に係る発明において、変更領域判別手段は、ウィンドウ領域の表示サイズに着目し、所定の表示サイズのウィンドウ領域以外を変更領域と判別する、構成としたことにより、ユーザが注目する領域を考慮した送信画像データのデータ量削減が可能となる。
【００１４】
本願の請求項５に係る発明は、請求項１に係る発明において、送信側装置は、アプリケーション毎にアプリケーションの表示領域の画像データ変更処理に関する設定情報を格納する設定情報格納手段を有し、変更領域判別手段は、設定情報格手段に格納された設定情報を参照し、画像データの変更領域を判別する、構成としたことにより、アプリケーション領域に応じた送信画像データのデータ量削減が可能となる。
【００１５】
本願の請求項６に係る発明は、請求項１に係る発明において、受信側装置は、送信側装置のアプリケーション毎にアプリケーションの表示領域の画像データ変更処理に関する設定情報を格納する設定情報格納手段を有し、送信側装置の変更領域判別手段は、受信側装置から受け取った設定情報を参照し、画像データの変更領域を判別する、構成としたことにより、アプリケーション領域に応じた送信画像データのデータ量削減が可能となる。
【００１６】
以下、本発明の各実施の形態について図面を参照しながら説明する。
【００１７】
（実施の形態１）
図１は、本発明の実施の形態１における画像データ転送システムの機能ブロック図である。本実施の形態の画像データ転送システムは、画像データ送信側装置と画像データ受信側装置とが、インターネットやＬＡＮ等の電気的にデータ通信可能なネットワークを介して接続されている。
【００１８】
まず、画像データ送信側装置について説明する。１はユーザからの指示入力を行う入力手段、２はネットワーク等とのデータのやりとりを行う通信処理部、３は受信データの解析を行う受信データ解析部、４は送信データを生成する送信データ生成部、５は送信画像データを取得する画像データ取得部、６は送信画像データの変更領域を判別する画像データ変更領域判別部、７は画像データ変更領域判別部６の判別結果に従い、必要に応じてデータの減色を行い、送信画像データを作成する画像データ作成部、８は設定情報を格納する設定情報格納部、９はデータを表示する表示手段、１０は、通信処理部２、受信データ解析部３、送信データ生成部４、画像データ取得部５、画像データ変更領域判別部６、画像データ作成部７の各機能、および機能間の動作、並びに、設定情報格納部８に格納されたデータの流れ、入力手段１による入力情報、表示手段９によって表示するデータを制御する送信側制御部である。
【００１９】
次に、画像データ受信側装置について説明する。２１はユーザからの指示入力を行う入力手段、２２はネットワーク等とのデータのやりとりを行う通信処理部、２３は受信データの解析を行う受信データ解析部、２４は送信データを作成する送信データ生成部、２５は設定情報を格納する設定情報格納部、２６はデータを表示する表示手段、２７は、通信処理部２２、受信データ解析部２３、送信データ生成部２４の各機能、および機能間の動作、並びに、設定情報格納部２５に格納されたデータの流れ、入力手段２１による入力情報、表示手段２６によって表示するデータを制御する受信側制御部である。
【００２０】
図２は、本発明の実施の形態１における画像データ転送システムの装置ブロック図である。
【００２１】
まず、画像データ送信側装置について説明する。
【００２２】
４１は入力装置、４２は中央処理演算装置（ＣＰＵ）、４３はリード・オンリー・メモリ（ＲＯＭ）、４４はランダム・アクセス・メモリ（ＲＡＭ）、４５は液晶パネル、４６は通信装置、４７はＣＤ−ＲＯＭなどの記録媒体４８からデータを読み込むディスク・ドライブである。
【００２３】
図１に示した入力手段１は入力装置４１により、設定情報格納部８はＲＡＭ４４により、受信データ解析部３、送信データ生成部４、画像データ取得部５、画像データ変更領域判別部６、画像データ作成部７、送信側制御部１０は、ＣＰＵ４２がＲＯＭ４３及びＲＡＭ４４とデータのやりとりを行いながらＲＯＭ４３に記憶されている制御プログラムを実行することにより、通信処理部２は通信装置４６により、表示手段９は液晶パネル４５により実現される。
【００２４】
なお、本実施の形態では、ＣＰＵ４２がＲＯＭ４３に記憶されたプログラムを実行することにより制御する形態を示しているが、コンピュータが読み取り可能な記録媒体４８に記録されたプログラムをディスク・ドライブ４７から読み込み、ＲＡＭ４４上に展開した後、ＣＰＵ４２が実行する形態であっても構わない。このような形態を取ることにより、本発明を汎用コンピュータで容易に実現することができるようになる。さらに、ＣＰＵ４２が実行するプログラムは、記録媒体４８にとどまらず、電気的に接続された通信回線から受信したものを、ＲＡＭ４４上に展開した後、ＣＰＵ４２が実行する形態であっても構わない。
【００２５】
次に、画像データ受信側装置について説明する。
【００２６】
５１は入力装置、５２は中央処理演算装置（ＣＰＵ）、５３はリード・オンリー・メモリ（ＲＯＭ）、５４はランダム・アクセス・メモリ（ＲＡＭ）、５５は液晶パネル、５６は通信装置、５７はＣＤ−ＲＯＭなどの記録媒体５８からデータを読み込むディスク・ドライブである。
【００２７】
図１に示した入力手段２１は入力装置５１により、設定情報格納部２５はＲＡＭ５４により、受信データ解析部２３、送信データ生成部２４、受信側制御部２７は、ＣＰＵ５２がＲＯＭ５３及びＲＡＭ５４とデータのやりとりを行いながらＲＯＭ５３に記憶されている制御プログラムを実行することにより、通信処理部２２は通信装置５６により、表示手段２６は液晶パネル５５により実現される。
【００２８】
なお、ＣＰＵ５２が実行するプログラムを、記録媒体５８から読み出して実行しても構わない点や、電気的に接続された通信回線から受信して実行しても構わない点は、上記画像データ送信側装置で行った説明と同様である。
【００２９】
以上のように構成された画像データ転送システムについて、以下にその動作を説明する。
【００３０】
以下の説明では、画像データ送信装置は表示画像データを取得して表示画像データ受信側装置に送信し、画像データ受信側装置は受信した表示画像データを表示装置に表示するシステムを例にあげる。また、画像データ送信側装置では、ウィンドウ表示が可能なＯＳ上で様々なアプリケーションが稼動しているものとする。
【００３１】
図３は、本発明の実施の形態１における画像データ送信側装置の動作フローチャートであり、画像データを送信する際の動作を示している。
【００３２】
図３に示すように、ステップＡ１で、画像データ取得部５は、表示画像を取得する。
【００３３】
ステップＡ２で、画像データ変更領域判別部６は、ＯＳから最前面のウィンドウ（以下「フォアグランドウィンドウ」と称する）に関する、サイズ情報や位置情報を取得し、フォアグランドウィンドウの情報に基づいて、画像データ変更領域の判別を行い、フォアグランドウィンドウ非表示領域を画像データ変更領域とする。
【００３４】
ステップＡ３で、画像データ作成部７は、ステップＡ２で画像データ変更領域と判別した領域について減色処理を行い、それ以外の領域については、受信側装置の表示能力を満たす画像データ（減色を行わない原画像データ、もしくは減色処理した受信側表示能力への減色データ）を用いて、送信画像データを作成する。なお、色数を間引く等の減色処理に限定するものではなく、データを間引く処理によってデータ量の削減を行ってもよい。
【００３５】
ステップＡ４で、送信データ生成部４によって、ステップＡ３で作成した画像データを画像データ受信側装置に送信するための画像データ通知メッセージを作成し、通信処理部２を介して画像データ受信側装置へ送信する。
【００３６】
以上のように、本実施の形態では、画像データ受信側装置のユーザが注目するフォアグラウンドウィンドウ領域とそれ以外の領域とで減色処理を変えて送信画像データのデータ量を削減できるので、効率的に画像データの転送を行うことができる。
【００３７】
（実施の形態２）
本発明の実施の形態２について説明する。
【００３８】
本発明の実施の形態２における画像データ転送システムの機能ブロック図及び装置ブロック図は、実施の形態１に用いた図１及び図２の各ブロック図を引用する。
【００３９】
図４は、本発明の実施の形態２における画像データ送信側装置の動作フローチャートであり、画像データを送信する際の動作を示している。
【００４０】
ステップＢ１で、画像データ変更領域判別部６は、ウィンドウ番号ｎを０に初期化する。
【００４１】
ステップＢ２で、画像データ変更領域判別部６は、ウィンドウ番号ｎを１増加し、ステップＢ３で、ｎ番目のウィンドウがある場合、ステップＢ４で、ｎ番目のウィンドウに関する情報を取得する。
【００４２】
ステップＢ５で、ステップＢ４で取得したウィンドウ領域に送信データ領域がない場合、ステップＢ２に戻る。送信データ領域がある場合、ステップＢ６に進む。
【００４３】
ステップＢ６で、画像データ変更領域判別部６は、ステップＢ４で取得したウィンドウ情報に基づいて画像データ変更領域の判別を行う。
【００４４】
画像データ変更領域判定部６は、ウィンドウ属性に着目し、特定のウィンドウ属性を満たす領域を画像データ非変更領域とし、その他の領域を画像データ変更領域とする。具体例をあげると、ウィンドウ属性としてテキスト領域に着目した場合、テキスト領域を画像データ非変更領域とし、テキスト領域以外を画像データ変更領域することができる。
【００４５】
また、ウィンドウ属性のサイズに着目すれば、一定サイズ条件を満たす領域を画像データ非変更領域とし、その他の領域を画像データ変更領域とすることによって、サイズに応じた画像データ変更領域の判別を行うことも可能である。
【００４６】
さらに、上記条件を組み合わせて利用し、一定サイズ以上のテキスト領域のみを画像データ非変更領域とするような画像データ変更領域の判別を行うことも可能である。
【００４７】
ステップＢ３でｎ番目のウィンドウがない場合、ステップＢ７に進む。
【００４８】
ステップＢ７で、画像データ作成部７は、ステップＢ６で画像データ変更領域と判別された領域については、減色処理を施し、それ以外の領域（画像データ非変更領域）については、受信側の表示能力を満たす画像データ（減色を行わない原画像データ、もしくは受信側表示能力へ合わせた減色データ）を用いて、送信画像データを作成する。
【００４９】
ステップＢ８で、送信データ生成部４によって、ステップＢ７で作成した画像データを画像データ受信側装置に送信するための画像データ通知メッセージを作成し、通信処理部２を介して画像データ受信側装置へ送信する。
【００５０】
以上のように本実施の形態では、ウィンドウの属性（領域種別、サイズ）に応じて送信画像データのデータ量を削減でき、効率的に画像データを転送させることができる。
【００５１】
（実施の形態３）
本発明の実施の形態３について説明する。
【００５２】
本発明の実施の形態３における画像データ転送システムの機能ブロック図及び装置ブロック図は、実施の形態１に用いた図１及び図２の各ブロック図を引用する。
【００５３】
本発明の実施の形態３における画像データ転送システムの画像データ送信側装置では、入力手段１によって、各アプリケーション毎に、画像データ変更処理の実施有無を設定する。設定された画像データ変更処理設定情報は、設定情報格納部８に格納される。例えば図５に示すように、アプリケーションの種別毎に変更フラグが付けられている。この場合は、フラグに１が設定されているアプリケーションは、画像データ変更領域とするようになっている。
【００５４】
各アプリケーションの画像データ変更処理設定情報は、入力手段１によって設定を行わず、画像データ送信側装置の設定情報格納部８に、予め格納されていても構わない。
【００５５】
図６は、本発明の実施の形態３における画像データ送信側装置の動作フローチャートであり、画像データを送信する際の動作を示している。
【００５６】
図６に示すように、ステップＣ１で、画像データ変更領域判別部６は、ウィンドウ番号ｎを０に初期化する。
【００５７】
ステップＣ２で、画像データ変更領域判別部６は、ウィンドウ番号ｎを１増加し、ステップＣ３で、ｎ番目のウィンドウがある場合、ステップＣ４で、ｎ番目のウィンドウに関する情報を取得する。
【００５８】
ステップＣ５で、ステップＣ４で取得したウィンドウ領域に送信データ領域がない場合、ステップＣ２に戻る。送信データ領域がある場合、ステップＣ６に進み、該ウィンドウのアプリケーション種別を取得する。
【００５９】
ステップＣ７で、画像データ変更領域判別部６は、設定情報格納部８に格納された該アプリケーションに関する画像データ変更処理設定情報を参照し、画像データ変更領域の判別を行う。
【００６０】
ステップＣ３でｎ番目のウィンドウがない場合、ステップＣ８に進む。
【００６１】
ステップＣ８で、画像データ作成部７は、ステップＣ７で画像データ変更領域と判別した領域については減色処理を行い、それ以外の領域については、受信側の表示能力を満たす画像データ（減色を行わない原画像データ、もしくは受信側装置の表示能力へ合わせた減色データ）を用いて、送信画像データを作成する。
【００６２】
ステップＣ９で、送信データ生成部４によって、ステップＣ８で作成した画像データを画像データ受信側システムに送信するための画像データ通知メッセージを作成し、通信処理部２によって、画像データ受信側装置へ送信する。
【００６３】
以上のように本実施の形態では、アプリケーション毎に減色処理を行ってデータ量を削減するので、効率的に画像データの転送を行うことができる。
【００６４】
（実施の形態４）
本発明の実施の形態４について説明する。
【００６５】
本発明の実施の形態３における画像データ転送システムの機能ブロック図及び装置ブロック図は、実施の形態１に用いた図１及び図２の各ブロック図を引用する。
【００６６】
本実施の形態の画像データ転送システムが実施の形態３と異なるのは、画像データ受信装置において、画像データ送信側装置のアプリケーション毎に、受信画像データの変更可否設定を行う点である。なお、受信画像データ変更可否設定情報は、設定情報格納部２５に格納される。
【００６７】
本実施の形態において、画像データ送信側装置と画像データ受信側装置とで画像データ転送処理を開始する際、画像データ受信側装置は、設定情報格納部２５に格納した画像データ変更可否設定情報を画像データ送信側装置に通知する設定情報通知メッセージを送信データ生成部２４によって作成し、通信処理部２２によって画像データ送信側装置に送信する。
【００６８】
画像データ送信側装置は、通信処理部２によって受信したメッセージを受信データ解析部３によって解析し、受信メッセージが画像データ受信側システムからの設定情報通知メッセージの場合、通知された画像データ変更可否設定情報を、画像データ変更領域判別部６で参照する条件として、設定情報格納部８に格納する。
【００６９】
画像データ送信側装置が、送信画像データを画像データ受信側装置に送信する際の動作は、実施の形態３と同様である。
【００７０】
なお、上記説明した実施の形態１〜４は、別々の実施の形態に分けて説明を行ったが、複数の実施の形態を組み合わせて同時に用いる形態も可能である。
【００７１】
【発明の効果】
以上のように本発明によれば、送信側装置の表示画像データを、電気通信回線を介して受信側装置に送信する画像データ転送システムであって、送信側装置は、表示画像を取得する画像データ取得手段と、画像データ取得手段によって取得した画像データの変更領域を判別する変更領域判別手段と、変更領域判別手段で判別された変更領域に基づいて、画像データ取得手段で取得した画像データのデータ量を削減する処理を行う画像データ作成手段と、画像データ作成手段により処理された画像データから受信側装置へ送信する送信画像データを生成する送信データ生成手段と、を有する構成としたことにより、送信画像データのデータ量を削減することができ、効率的な画像データ転送が実現できる。
【００７２】
また、変更領域の判別は、最前面のウィンドウ領域に着目し、最前面のウィンドウ領域以外を変更領域と判別する、構成としたことにより、ユーザが注目する領域を考慮した送信画像データのデータ量削減が可能となり、効率的な画像データ転送が実現できる。
【００７３】
また、変更領域判別手段は、ウィンドウ領域の属性に着目し、所定の属性のウィンドウ領域以外を変更領域と判別する、構成としたことにより、ユーザが注目する領域を考慮した送信画像データのデータ量削減が可能となり、効率的な画像データ転送が実現できる。
【００７４】
また、変更領域の判別は、ウィンドウ領域の表示サイズに着目し、所定の表示サイズのウィンドウ領域以外を変更領域と判別する、構成としたことにより、ユーザが注目する領域を考慮した送信画像データのデータ量削減が可能となり、効率的な画像データ転送が実現できる。
【００７５】
また、送信側装置は、アプリケーション毎にアプリケーションの表示領域の画像データ変更処理に関する設定情報を格納する設定情報格納手段を有し、変更領域の判別は、設定情報格手段に格納された設定情報を参照し、画像データの変更領域を判別する、構成としたことにより、アプリケーション領域に応じた送信画像データのデータ量削減が可能となり、効率的な画像データ転送が実現できる。
【００７６】
また、受信側装置は、送信側装置のアプリケーション毎にアプリケーションの表示領域の画像データ変更処理に関する設定情報を格納する設定情報格納手段を有し、送信側装置の変更領域判別手段は、受信側装置から受け取った設定情報を参照し、画像データの変更領域を判別する、構成としたことにより、アプリケーション領域に応じた送信画像データのデータ量削減が可能となり、効率的な画像データ転送が実現できる。
【図面の簡単な説明】
【図１】本発明の実施の形態１における画像データ転送システムの機能ブロック図
【図２】本発明の実施の形態１における画像データ転送システムの装置ブロック図
【図３】本発明の実施の形態１における画像データ送信側装置の動作フローチャート
【図４】本発明の実施の形態２における画像データ送信側装置の動作フローチャート
【図５】本発明の実施の形態３における設定情報格納部に記憶される設定情報の説明図
【図６】本発明の実施の形態３における画像データ送信側装置の動作フローチャート
【符号の説明】
１  入力手段
２  通信処理部
３  受信データ解析部
４  送信データ生成部
５  画像データ取得部
６  画像データ変更領域判別部
７  画像データ作成部
８  設定情報格納部
９  表示手段
１０  送信側制御部
【図１】
2004220239.tif 000003
【図２】
2004220239.tif 000004
【図３】
2004220239.tif 000005
【図４】
2004220239.tif 000006
【図５】
2004220239.tif 000007
【図６】
2004220239.tif 000008